(57)【要約】【課題】  音声によるメール作成を正確に且つ迅速に行うことができる音声メール入力装置を得る。【課題手段】  キー入力手段４，音声入力手段６と、音声入力から音声の認識処理を行う音声認識処理手段８と、各入力から電子メールを作成するための電子メール作成手段１３と、音声認識処理手段８，電子メール作成手段１３に接続され、各入力から受付けたコマンドに対応する処理を行うために他手段へ命令を出す制御手段１２と、制御手段１２に電子メール作成手段１３を介して接続され、外部のメールサーバと通信するための通信手段１７とを備えた音声メール入力装置おいて、音声認識処理手段８，制御手段１２に接続され、音声入力手段６からの音声入力に必要な認識辞書を管理する認識辞書管理手段１１を備え、電子メール作成手段１３からの電子メールの入力フィールドに基づいて認識辞書１０を切換える。【選択図】        図１
2007004281.tif 000002
【特許請求の範囲】
【請求項１】
外部から入力されるコマンドを受付けるキー入力手段および音声入力手段と、該音声入力手段から入力された音声の認識処理を行う音声認識処理手段と、上記キー入力手段および上記音声入力手段から入力に基づいて電子メールを作成するための電子メール作成手段と、上記音声認識処理手段および上記電子メール作成手段に接続され、上記キー入力手段および上記音声入力手段から受付けたコマンドに対応する処理を行うために他手段へ命令を出す制御手段と、該制御手段に上記電子メール作成手段を介して接続され、外部のメールサーバと通信するための通信手段とを備えた音声メール入力装置おいて、
上記音声認識処理手段および上記制御手段に接続され、上記音声入力手段からの音声入力に必要な認識辞書を管理する認識辞書管理手段を備え、該認識辞書管理手段は上記電子メール作成手段からの電子メールの入力フィールドに基づいて上記認識辞書を切換えることを特徴とする音声メール入力装置。
【請求項２】
上記電子メール作成手段は、上記キー入力手段からのキー入力に基づきフィールド移動の操作がある場合に、その移動先のフィールド種別を取得するフィールド種別取得手段を有し、上記音声認識処理手段は、上記フィールド種別取得手段で取得したフィールド種別に対応する認識辞書を認識辞書対応情報から取得して切り換えることを特徴とする請求項１記載の音声メール入力装置。
【請求項３】
上記電子メール作成手段に接続されたテキスト解析手段を備え、返信メールを作成する場合、上記テキスト解析手段により返信元のメールから使用されている語彙を抽出し、上記設定認識辞書管理手段により、上記抽出された語彙のプライオリティを他の語彙より高く設定して認識することを特徴とする請求項１または請求項２記載の音声メール入力装置。
【請求項４】
上記テキスト解析手段は、返信元のメールから使用されている語彙を抽出してその語彙の使用回数をカウントし、上記設定認識辞書管理手段は、返信元のメールで使用回数の多い語彙に高いプライオリティを設定して認識することを特徴とする請求項３記載の音声メール入力装置。
【請求項５】
上記電子メール作成手段は、メール送受信部およびアドレス帳管理手段を有し、上記メール送受信部によりメールを受信した場合、受信メールの宛先フィールドを上記テキスト解析手段によりテキスト解析し、この解析された宛先フィールドのデータを上記アドレス帳管理手段によりアドレス帳に登録することを特徴とする請求項３または請求項４記載の音声メール入力装置。
【請求項６】
上記電子メール作成手段は、受信したメールがある特定のメールであるかを判断する定型メール判定手段を有し、上記メール送受信部によりメールを受信した場合、件名フィールドのデータを取得し、上記定型メール判定手段により、語彙を登録するための定型メールであると判断された場合は、上記テキスト解析手段により語彙と読みの本文フィールドから取得し、上記認識辞書管理手段により取得した語彙と読みを登録することを特徴とする請求項５記載の音声メール入力装置。
【請求項７】
上記電子メール作成手段は、音声入力があった場合は、上記フィールド種別取得手段により現在のフィールド種別を取得し、この取得したフィールド種別が本文フィールドであれば、上記音声認識処理手段で音声の認識処理を行い、認識した語彙に対応する文字種別を取得し、この取得した文字種別を本文フィールドに入力することを特徴とする請求項２から請求項６のうちのいずれか１項記載の音声メール入力装置。
【請求項８】
上記音声入力手段に接続され、音声入力時のユーザの声の状態に対応した文字種別対応表を有する音声状態取得手段を設け、該音声状態取得手段により、上記音声入力手段より入力された音声の状態を取得し、この取得した音声の状態に対応する文字種別を上記文字種別対応表から取得し、この取得した文字種別を本文フィールドに入力することを特徴とする請求項１から請求項７のうちのいずれか１項記載の音声メール入力装置。
【請求項９】
上記キー入力手段に接続され、キー押下状態に対応した文字種別対応表を有するキー押下状態取得手段を設け、該キー押下状態取得手段により、発話キーが押されたときの状態を取得し、現在のフィールド種別が本文フィールドであれば、上記文字種別対応表を参照し、発話キー押下の状態に対応する文字種別を取得し、この取得した文字種別を本文フィールドに入力することを特徴とする請求項１から請求項８のうちのいずれか１項記載の音声メール入力装置。
【請求項１０】
上記音声認識処理手段および上記音声状態取得手段に接続され、語彙に対応する文字種別を含む文字種別対応表を有する認識結果処理手段を設け、該認識結果処理手段により、入力された音声から特定の語彙を抽出し、上記文字種別対応表を参照し、抽出した語彙に対応する文字種別を取得し、この取得した文字種別を本文フィールドへ入力することを特徴とする請求項８または請求項９記載の音声メール入力装置。
【請求項１１】
位置情報を取得する位置情報取得手段を設け、上記認識結果処理手段により、入力された語彙が位置情報をメールに付加するための特定のコマンドであると判断された場合は、上記位置情報取得手段により位置情報を取得し、この取得した位置情報をメールに入力することを特徴とする請求項１０記載の音声メール入力装置。
【請求項１２】
メール作成のモードを取得するためのモード取得手段を設け、上記キー入力手段によりキー入力があった場合に、モード切換えキーであれば上記モード取得手段により現在のモードを取得し、現在のモードが音声メール入力モードであれば添付モードに変更し、現在のモードが添付モードであれば音声メール入力モードに切り換えることを特徴とする請求項１から請求項１１のうちのいずれか１項記載の音声メール入力装置。
【請求項１３】
上記認識結果処理手段と上記制御手段の間に、本文を音声で入力した場合は、「音声入力」を示すマークを自動付加して送出する音声入力マーク付加判定取得手段を設け、該音声入力マーク付加判定取得手段により送信ボタンが押されたことが判定された場合には、音声入力マークをメールに付加して上記制御手段へ送出することを特徴とする請求項１０から請求項１２のうちのいずれか１項記載の音声メール入力装置。
【発明の詳細な説明】
【技術分野】
【０００１】
この発明は、車両等に搭載して好適な音声メール入力装置に関し、特に、音声または手動操作（キー操作、タッチパネル等）により電子メールの作成を行うことができる音声メール入力装置に関するものである。
【背景技術】
【０００２】
この種の従来装置として、アドレス、題名、本文の定型文は、各フィールドに対応して、入力に適した定型文候補に区分され、ユーザが入力フィールドをキー操作で指定することにより、対応した区分に属する定型文候補のみを抽出するものがある（例えば、特許文献１参照）。
また、電子メールの送信相手の属するカテゴリを判定して複数のカテゴリに分類し、それぞれのカテゴリごとに、過去に使われた電子メール内容を蓄積した言語データベースを持ち、そして、ユーザがある送信相手に対する電子メール内容の一部を音声またはキー操作で入力すると、そのあとに続く内容を言語データベースからいくつかの入力予測候補として取得してユーザに提示し、その提示結果に対する入力や選択などの操作はポインティングデバイスによって行うものがある（例えば、特許文献２参照）。
さらに、従来の音声メール入力装置として、電話機から電子メールの送信を想定しており、電話機から入力された音声をバイナリデータに変換し、さらにテキスト情報に自動変換して電子メールサーバに送信し、また、受信する場合はテキスト情報を自動でバイナリデータに変換するものもある（例えば、特許文献３参照）。
【０００３】
【特許文献１】特開２００２−２４４７９３号公報
【特許文献２】特開２００２−２９７５０２号公報
【特許文献３】特開平１１−１１２５５０号公報
【発明の開示】
【発明が解決しようとする課題】
【０００４】
しかしながら、上記のような従来装置の場合は、いずれも下記のような問題点があった。
すなわち、特許文献１に記載されている従来装置の場合は、定型文を切り換えるために、ユーザのキー操作が必須となっているので、運転中などは操作できないという問題点があった。また、特許文献２に記載されている従来装置の場合は、提示結果に対してユーザのキー操作が必須となっているので、運転中などは操作できないという問題点があった。また、特許文献３に記載されている従来装置の場合は、ユーザがバイナリデータを添付するか、テキスト情報として送信するか選択できないという問題点があった。
【０００５】
この発明は、上記のような課題を解決するためになされたもので、音声によるメール作成を正確に且つ迅速に行うことができる音声メール入力装置を得ることを目的とする。
【課題を解決するための手段】
【０００６】
この発明に係る音声メール入力装置は、外部から入力されるコマンドを受付けるキー入力手段および音声入力手段と、音声入力手段から入力された音声の認識処理を行う音声認識処理手段と、各入力手段から入力に基づいて電子メールを作成するための電子メール作成手段と、音声認識処理手段および電子メール作成手段に接続され、各入力手段から受付けたコマンドに対応する処理を行うために他手段へ命令を出す制御手段と、この制御手段に電子メール作成手段を介して接続され、外部のメールサーバと通信するための通信手段とを備えた音声メール入力装置おいて、音声認識処理手段および制御手段に接続され、音声入力手段からの音声入力に必要な認識辞書を管理する認識辞書管理手段を備え、この認識辞書管理手段により電子メール作成手段からの電子メールの入力フィールドに基づいて認識辞書を切換えるものである。
【発明の効果】
【０００７】
この発明は、音声によるメール作成を正確に且つ迅速に行うことができる音声メール入力装置を得ることができるという効果がある。
【発明を実施するための最良の形態】
【０００８】
以下、この発明の実施の一形態を、図１〜図１８を参照して説明する。
実施の形態１．
図１は、この発明の実施の形態１による音声メール入力装置を示す構成図である。
図１において、音声メール入力装置１には、手動操作するためのリモコンやタッチパネル等２と、音声入力するためのマイク３とに接続されている。
音声メール入力装置１は、リモコンやタッチパネル等２から入力されたコマンドを受付けるキー入力手段４と、キーを押した時の状態（強さや時間）を取得するためのキー押下状態取得手段５と、マイク３から入力されたコマンドを受付ける音声入力手段６と、入力された音声の状態（声の大きさや速さ）を取得するための音声状態取得手段７と、入力された音声の認識処理を行う音声認識処理手段８と、認識処理した結果を処理する認識結果処理手段９と、音声入力に必要な認識辞書１０を管理する認識辞書管理手段１１を備える。
【０００９】
また、音声メール入力装置１は、キー入力手段４や音声入力手段６から受付けたコマンドに対応する処理を行うために他手段へ命令を出す制御手段１２と、電子メールを作成するための電子メール作成手段１３と、メールの文章を解析するためのテキスト解析手段１４と、解析したデータから認識辞書を生成するための認識辞書生成手段１５と、外部のメールサーバ１６と通信するための通信手段１７と、メール作成のモード（音声メール入力モード、添付モード）を取得するためのモード取得手段１８と、自車位置や目的地情報などの位置情報を取得するための位置情報取得手段１９と、認識結果処理手段９と制御手段１２の間に設けられ、本文を音声で入力した場合は、「音声入力」を示すマークを自動付加して制御手段１２へ送出する音声入力マーク付加判定取得手段２０を備える。
【００１０】
電子メール作成手段１３は、メール作成部２１と、作成中のメールのフィールド種別を取得するためのフィールド種別取得手段２２と、アドレス帳２３と、アドレス帳２３を管理するためのアドレス帳管理手段２４と、送受信するメール情報を記憶するためのメモリ（図示せず）を有するメール送受信部２５と、受信したメールがある特定のメールであるかを判断する定型メール判定手段２６を備える。
【００１１】
また、認識辞書管理手段１１は、作成中のメールのフィールド種別に対応する認識辞書を格納しておく辞書対応情報２７を有し、キー押下状態取得手段５、音声状態取得手段７および認識結果処理手段９は、文字種別対応表２８を有する。辞書対応情報２７は、例えば、図２に示すように、宛先、件名および本文を含むフィールド種別と、このフィールド種別に対応する認識辞書Ａ，ＢおよびＣを有する。
【００１２】
また、認識結果処理手段９は、文字種別対応表２８の情報の一例として、図３および図６に示すような語彙と文字種別を有し、ここで、語彙とは認識語彙であり、この語彙を認識した場合に、対応する文字種別をメールに入力する。
また、音声状態取得手段７は、文字種別対応表２８の情報の一例として、図４に示すような音声状態と文字種別を有し、ここで、音声状態とは声の大きさや速さ等である。なお、図４には、音声状態として声の大きさの場合を記載してあるが、声の速さ等の場合も格納形式は同様である。音声状態取得手段７は、図４を参照することにより、その音声状態に対応した文字種別をメールに入力する。
【００１３】
また、キー押下状態取得手段５は、文字種別対応表２８の情報の一例として、図５に示すようなキー押下状態（強さ）と文字種別を有し、ここで、キー押下状態とは、キーを押す強さや時間等である。なお、図５には、キー押下状態として強さの場合を記載してあるが、時間等の場合も格納形式は同様である。キー押下状態取得手段５は、図５を参照することにより、キーを押した時の押下状態に対応した文字種別をメールに入力する。
【００１４】
次に、動作について、図７〜図１８のフローチャートを参照して説明する。
先ず、図７を参照して、図２における電子メールの入力フィールド（宛先、件名、本文等）によって音声の認識辞書を切り換える場合について説明する。
ステップＳＴ１において、キー入力手段４によりキー入力があったか否かを判別し、キー入力がない場合は、スタートへ戻り、キー入力があった場合には、ステップＳＴ２へ進む。このキー入力の有無の検出は、一定の周期で常に行うものとする。次いで、ステップＳＴ２において、フィールド移動の操作があるか否かを判別し、フィールド移動の操作がない場合には、ステップＳＴ１に戻って、上述の動作を繰り返し、フィールド移動の操作がある場合は、ステップＳＴ３において、フィールド種別取得手段２２により移動先のフィールド種別ｆ１を取得する。フィールド種別ｆ１として、例えば、宛先、件名、本文等がある。
【００１５】
次に、ステップＳＴ４において、認識辞書管理手段１１により、認識辞書対応情報からフィールド種別ｆ１に対応する認識辞書を取得する。この取得したフィールド種別ｆ１が宛先であった場合は、対応する認識辞書として、図２に示す認識辞書Ａを取得する。この認識辞書Ａとしては、例えば、アドレス等を認識するための辞書である。最後に、ステップＳＴ５において、認識辞書管理手段１１により、取得した認識辞書に切り替えて、つまり、この場合、認識辞書Ａに切り換えて、一連の処理動作を終了する。
【００１６】
このようにして、この図７における処理動作では、音声または手動操作（キー操作、タッチパネル等）により電子メールの作成を行うことができる端末装置である音声メール入力装置において、電子メールの入力フィールド（宛先、件名、本文等）によって音声認識辞書を切り換えることで、各フィールドにおける認識率を高くすることができる。
【００１７】
次に、図８を参照して、返信メールを作成する場合に、返信元のメールで使用されている語彙のプライオリティを高く設定して認識する場合について説明する。
先ず、ステップＳＴ６において、キー入力手段４によりキー入力があったか否かを判別し、キー入力がない場合は、スタートへ戻り、キー入力があった場合には、ステップＳＴ７へ進む。この場合も、キー入力の有無の検出は一定の周期で常に行うものとする。次いで、ステップＳＴ７において、返信ボタンが押下されたか否か判別し、返信ボタンが押下されてない場合は、ステップＳＴ６へ戻って、上述の動作を繰り返し、返信ボタンが押下されている場合は、ステップＳＴ８において、テキスト解析手段１４により、返信元のメールから使用されている語彙を抽出する。最後に、ステップＳＴ９において、認識辞書管理手段１１により、抽出された語彙のプライオリティを他の語彙より高く設定した後、一連の処理動作を終了する。
【００１８】
従って、一般に、返信メールを各場合には、返信元のメールの語彙を使用することが多いと考えられるが、この図８における処理動作では、返信メールを作成する場合、返信元のメールで使用されている語彙のプライオリティを高く設定して認識することで、返信メールの本文を作成するときの認識率を高くすることができる。
【００１９】
次に、図９を参照して、返信メールを作成する場合に、返信元のメールで使用頻度の多い順にプライオリティを高く設定して認識する場合について説明する。
ステップＳＴ６とステップＳＴ７では、上述の図８と同様の動作を行い、ステップＳＴ７で返信ボタンが押されたと判断された場合は、ステップＳＴ１０に進む。ステップＳＴ１０において、テキスト解析手段１４により、返信元のメールで使用されている語彙を抽出し、ステップＳＴ１１において、抽出した語彙の使用回数をカウントする。
【００２０】
次いで、ステップＳＴ１２において、返信元のメールから全語彙を抽出完了したか否かを判別し、抽出が完了していない場合には、ステップＳＴ１０へ戻って、上述の動作を繰り返し、抽出が完了している場合は、上述の図８と同様、ステップＳＴ９で、認識辞書管理手段１１により、返信元のメールで使用回数の多い語彙に高いプライオリティを設定した後、一連の処理動作を終了する。
【００２１】
従って、この図９における処理動作では、返信メールを作成する場合に、返信元のメールで使用頻度の多い順にプライオリティを高く設定して認識することで、返信メールの本文を作成するときの認識率が高くすることができる。
【００２２】
次に、図１０を参照して、メールを受信した場合に、受信メールの宛先フィールドをテキスト解析し、解析したデータを認識辞書に自動で登録する場合について説明する。
ステップＳＴ１３において、メール送受信部２５により、新しくメールを受信したか否かを判別し、受信していない場合はスタートへ戻り、受信した場合は、ステップＳＴ１４において、受信メールの宛先フィールドのデータを取得し、ステップＳＴ１５において、テキスト解析手段１４により、取得したデータをテキスト解析する。
【００２３】
次いで、ステップＳＴ１６において、アドレス帳管理手段２４により、解析したデータが既にアドレス帳２３に登録されているかどうかを判別し、登録されている場合はそのまま終了し、登録されていない場合は、ステップＳＴ１７において、解析した宛先フィールドのデータをアドレス帳２３に登録した後、一連の処理動作を終了する。
【００２４】
従って、この図１０における処理動作では、メールを受信した場合に、受信メールの宛先フィールドをテキスト解析し、解析したデータを認識辞書に自動で登録することで、未登録の宛先からメールが送信された場合、手動で新しく宛先を追加登録する必要はなく、次回から音声で宛先に指定することができる。
【００２５】
次に、図１１を参照して、メールの本文フィールドに語彙と読みを書いて送信すると、その語彙を認識辞書に自動で登録する場合について説明する。
ステップＳＴ１８において、メール送受信部２５により、新しくメールを受信したか否かを判別し、受信していない場合はスタートへ戻り、受信した場合は、ステップＳＴ１９において、件名フィールドのデータを取得する。
【００２６】
次いで、ステップＳＴ２０において、定型メール判定手段２６により、語彙を登録するための定型メールであるか否か判断し、定型メールでない場合はそのまま終了し、定型メールの場合は、ステップＳＴ２１において、テキスト解析手段１４により語彙を本文フィールドから取得し、ステップＳＴ２２において、読みを本文フィールドから取得する。
【００２７】
次いで、ステップＳＴ２３において、認識辞書管理手段１１により、取得した語彙が既に登録済みか否か判別し、登録済みである場合にはそのまま終了し、登録されていない場合は、ステップＳＴ２４において、取得した語彙と読みを登録した後、一連の処理動作を終了する。
【００２８】
従って、この図１１における処理動作では、メールの本文フィールドに語彙と読みを書いて送信すると、その語彙を認識辞書に自動で登録することで、離れた他の端末からでも本端末に語彙を登録することができる。
【００２９】
次に、図１２を参照して、音声入力により本文フィールドに絵文字等を入力する場合について説明する。
ステップＳＴ２５において、音声入力手段６により、音声が入力されたか否か判別し、音声入力がない場合はスタートへ戻り、音声入力があった場合は、ステップＳＴ２６へ進む。音声入力の有無は一定の周期で常に行うものとする。次いで、ステップＳＴ２６では、フィールド種別取得手段２２により、現在のフィールド種別を取得する。
【００３０】
次いで、ステップＳＴ２７において、取得したフィールド種別が本文フィールドであるか否か判別し、本文フィールドでなければ、ステップＳＴ２５へ戻って、上述の動作を繰り返し、本文フィールドであれば、ステップＳＴ２８において、入力された音声に対して音声認識処理手段８により認識処理を行う。
次いで、ステップＳＴ２９において、文字種別対応表２８を参照し、認識した語彙に対応する文字種別を取得する。例えば、図３に示すように、認識した語彙が「顔文字１」である場合は、文字種別として「(^_^)」を取得する。最後に、ステップＳＴ３０において、取得した文字種別を本文フィールドに入力した後、一連の処理動作を終了する。
【００３１】
従って、この図１２における処理動作では、音声入力により本文フィールドに絵文字等を入力することで、複数の文字（記号等）で構成された顔文字を一発話で入力可能となる。
【００３２】
次に、図１３を参照して、音声入力時のユーザの声の状態（大小や早さ等）により、その状態に対応した文字種別（絵文字、文字の大きさ、色等）を入力する場合について説明する。
なお、この図１３におけるステップＳＴ２５からステップＳＴ２８の処理動作は図１２の場合と同様であるので、その説明を省略する。
ステップＳＴ３１において、音声状態取得手段７により、音声入力手段６より入力された音声の状態を取得し、ステップＳＴ２９へ進む。音声の状態として、例えば、音声入力時の声の大きさや速さである。
【００３３】
次いで、ステップＳＴ２９において、文字種別対応表２８から取得した音声の状態に対応する文字種別を取得する。入力した時の声が大きい場合には、怒ったような顔「(￣-￣メ)」を取得する。最後に、ステップＳＴ３０において、取得した文字種別を本文フィールドに入力した後、一連の処理動作を終了する。
【００３４】
従って、この図１３における処理動作では、音声入力時のユーザの声の状態（大小や速さ等）により、その状態に対応した文字種別（絵文字、文字の大きさ、色等）を入力することで、ユーザの発話の仕方により、ユーザの感情を表現するような絵文字を入力したり、表現をつけた文字の文章を自動で入力することができ、また、文字種別を入力したいときに、音声コマンド発話やキー選択等の操作をする必要がなくなる。
【００３５】
次に、図１４を参照して、発話ボタン押下時のボタン押下状態（強さ、長さ等）により、その状態に対応した文字種別（絵文字、文字の大きさ、色等）を入力する場合について説明する。
ステップＳＴ３２において、キー入力手段４により、発話キーが押されたか否か判別し、押されていない場合はスタートへ戻り、押された場合は、ステップＳＴ３３に進む。このステップＳＴ３２における発話キーが押されたか否かの判定は、一定の周期で常に行うものとする。ステップＳＴ３３では、キー押下状態取得手段５により、発話キーが押されたときの状態を取得する。この発話キーが押されたときの状態とは、発話キーを押したときの強さや、押している時間のことである。
【００３６】
次いで、ステップＳＴ３４において、現在のフィールド種別が本文フィールドであるか否か判別し、本文フィールドでなければステップＳＴ３２へ戻って、上述の動作を繰り返し、本文フィールドであれば、ステップＳＴ３５において、文字種別対応表２８を参照し、図５の発話キー押下の状態に対応する文字種別を取得し、ステップＳＴ３６において、取得した文字種別を本文フィールドに入力した後、一連の処理動作を終了する。
【００３７】
従って、この図１４における処理動作では、発話ボタン押下時のボタン押下状態（強さ、長さ等）により、その状態に対応した文字種別（絵文字、文字の大きさ、色等）を入力することで、ユーザの発話ボタン押下の仕方により、ユーザの感情を表現するような絵文字を入力したり、表現をつけた文字の文章を自動で入力することができ、また、文字種別を入力したいときに、音声コマンド発話やキー選択等の操作をする必要がなくなる。
【００３８】
次に、図１５を参照して、入力された音声から特定の語彙を検出し、その語彙に対応する文字種別を自動的に入力する場合について説明する。
ステップＳＴ３７において、音声入力手段６により、音声入力されたか否か判別し、音声入力がない場合はスタートへ戻り、音声入力された場合は、ステップＳＴ３８へ進む。ここで、音声入力の有無は一定の周期で常に行うものとする。ステップＳＴ３８において、現在のフィールド種別が本文フィールドであるか否か判別し、本文フィールドでなければステップＳＴ３７へ戻って、上述の動作を繰り返し、本文フィールドであれば、ステップＳＴ３９において、音声認識処理手段８により、入力された音声の認識処理を行う。
【００３９】
次いで、ステップＳＴ４０において、認識結果処理手段９により、入力された音声から特定の語彙を抽出し、ステップＳＴ４１において、文字種別対応表２８を参照し、語彙に対応する文字種別を取得する。例えば、認識した語彙が、図６に示す「うれしい」であった場合は、文字種別対応表２８より対応する文字種別（^。^）を取得し、ステップＳＴ４２において、取得した文字種別を本文フィールドへ入力した後、一連の処理動作を終了する。
【００４０】
従って、この図１５における処理動作では、入力された音声から特定の語彙を検出し、その語彙に対応する文字種別を自動的に入力することで、文字種別を入力したいときに音声コマンド発話やキー選択等の操作をする必要がなくなる。
【００４１】
次に、図１６を参照して、音声操作により位置情報（自車位置、目的地、検索結果の施設位置等）のテキスト（住所等）や地図をメールに入力する場合について説明する。
ステップＳＴ４３において、音声入力手段６により、音声入力されたか否か判別し、音声入力がない場合はスタートへ戻り、音声入力された場合は、ステップＳＴ４４において、音声認識処理手段８により、入力された音声に対して認識処理を行う。
【００４２】
次いで、ステップＳＴ４５において、認識結果処理手段９により、入力された語彙が位置情報をメールに付加するための特定のコマンド、即ち地図付加コマンドであるか否かを判別し、特定のコマンドでない場合はステップＳＴ４３へ戻って、上述の動作を繰り返し、特定のコマンドである場合は、ステップＳＴ４６において、位置情報取得手段１９により位置情報を取得し、ステップＳＴ４７において、取得した位置情報をメールへ入力した後、一連の処理動作を終了する。
【００４３】
従って、この図１６における処理動作では、音声操作により位置情報（自車位置、目的地、検索結果の施設位置等）のテキスト（住所等）や地図をメールに入力できるので、音声操作によりメールに特定の住所のテキストを入力したり、地図画像を貼り付けることができる。
【００４４】
次に、図１７を参照して、ユーザが発話した音声データを、音声認識によりメール本文にテキスト入力する（音声メール入力モード）か、音声データとしてメールに添付する（添付モード）かを、キー操作で切り換え可能とする場合について説明する。
ステップＳＴ４８において、キー入力手段４により、キー入力があったか否か判別し、キー入力がない場合はスタートへ戻り、キー入力があった場合はステップＳＴ４９において、押されたキーがモード切換えキーであるか否か判別し、モード切換えキーでなければステップＳＴ４８へ戻って、上述の動作を繰り返し、モード切換えキーであればステップＳＴ５０において、モード取得手段１８により、現在のモードを取得し、ステップＳＴ５１において、現在のモードが音声メール入力モードであれば添付モードに変更し、現在のモードが添付モードであれば音声メール入力モードに切り換えた後、一連の処理動作を終了する。
【００４５】
従って、この図１７における処理動作では、ユーザが発話した音声データを、音声認識によりメール本文にテキスト入力する（音声メール入力モード）か、音声データとしてメールに添付する（添付モード）かを、キー操作で切り換え可能とすることで、簡単にモード切り換えができる。
【００４６】
次に、図１８を参照して、本文を音声で入力した場合は、「音声入力」を示すマークを自動付加して送信可能とする場合について説明する。
ステップＳＴ５２において、本文フィールドであるか否か判定し、本文フィールドでない場合はスタートへ戻り、本文フィールドである場合には、ステップＳＴ５３において、音声入力手段６により、音声入力があるか否か判別し、音声入力がない場合はステップＳＴ５３へ戻って、上述の動作を繰り返し、音声入力がある場合はステップＳＴ５４へ進む。この音声の入力があるか否かの判定は一定の周期で常に行うものとする。
【００４７】
次いで、ステップＳＴ５４において、音声入力マーク付加判定取得手段２０により送信ボタンが押されたか否かを判別する動作を繰り返し、送信ボタンが押された場合には、ステップＳＴ５５において、音声入力マークをメールに付加した後、一連の処理動作を終了する。
【００４８】
従って、この図１８における処理動作では、本文を音声で入力した場合は、「音声入力」を示すマークを自動付加して送信可能であるとすることで、メール受信者に対して、音声入力で作成した文章であることを伝えることができる。
【図面の簡単な説明】
【００４９】
【図１】この発明の実施の形態１による音声メール入力装置を示す構成図である。
【図２】この発明の実施の形態１による音声メール入力装置における認識辞書管理手段が有する辞書対応情報を示す図である。
【図３】この発明の実施の形態１による音声メール入力装置における認識結果処理手段が有する文字種別対応表を示す図である。
【図４】この発明の実施の形態１による音声メール入力装置における認識結果処理手段が有する文字種別対応表を示す図である。
【図５】この発明の実施の形態１による音声メール入力装置における認識結果処理手段が有する文字種別対応表を示す図である。
【図６】この発明の実施の形態１による音声メール入力装置における認識結果処理手段が有する文字種別対応表を示す図である。
【図７】この発明の実施の形態１による音声メール入力装置の動作説明をするためのフローチャートである。
【図８】この発明の実施の形態１による音声メール入力装置の動作説明をするためのフローチャートである。
【図９】この発明の実施の形態１による音声メール入力装置の動作説明をするためのフローチャートである。
【図１０】この発明の実施の形態１による音声メール入力装置の動作説明をするためのフローチャートである。
【図１１】この発明の実施の形態１による音声メール入力装置の動作説明をするためのフローチャートである。
【図１２】この発明の実施の形態１による音声メール入力装置の動作説明をするためのフローチャートである。
【図１３】この発明の実施の形態１による音声メール入力装置の動作説明をするためのフローチャートである。
【図１４】この発明の実施の形態１による音声メール入力装置の動作説明をするためのフローチャートである。
【図１５】この発明の実施の形態１による音声メール入力装置の動作説明をするためのフローチャートである。
【図１６】この発明の実施の形態１による音声メール入力装置の動作説明をするためのフローチャートである。
【図１７】この発明の実施の形態１による音声メール入力装置の動作説明をするためのフローチャートである。
【図１８】この発明の実施の形態１による音声メール入力装置の動作説明をするためのフローチャートである。
【符号の説明】
【００５０】
１  音声メール入力装置、４  キー入力手段、５  キー押下状態取得手段、６  音声入力手段、７  音声状態取得手段、８  音声認識処理手段、９  認識結果処理手段、１１  認識辞書管理手段、１２  制御手段、１３  電子メール作成手段、１４  テキスト解析手段、１５  認識辞書生成手段、１７  通信手段、１８  モード取得手段、１９  位置情報取得手段、２０  音声入力マーク付加判定取得手段、２１  メール作成部、２２  フィールド種別取得手段、２３  アドレス帳、２４  アドレス帳管理手段、２５  メール送受信部、２６  定型メール判定手段、２７  辞書対応情報、２８  文字種別対応表。
【図１】
2007004281.tif 000003
【図２】
2007004281.tif 000004
【図３】
2007004281.tif 000005
【図４】
2007004281.tif 000006
【図５】
2007004281.tif 000007
【図６】
2007004281.tif 000008
【図７】
2007004281.tif 000009
【図８】
2007004281.tif 000010
【図９】
2007004281.tif 000011
【図１０】
2007004281.tif 000012
【図１１】
2007004281.tif 000013
【図１２】
2007004281.tif 000014
【図１３】
2007004281.tif 000015
【図１４】
2007004281.tif 000016
【図１５】
2007004281.tif 000017
【図１６】
2007004281.tif 000018
【図１７】
2007004281.tif 000019
【図１８】
2007004281.tif 000020